【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ユーザによる注釈付きメディア・ストリームの作成を容易にする方法であって、
メディア・ストリームを前記ユーザから受け取ることと、
前記注釈付きメディア・ストリームを作るために補足コンテンツの少なくとも１つのアイテムを前記メディア・ストリームの少なくとも一部にマッピングすることと、
前記注釈付きメディア・ストリームを格納することと
を含む方法。
【請求項２】
補足コンテンツの前記少なくとも１つのアイテムは、少なくとも部分的に前記ユーザかつ／または、少なくとも部分的に、前記ユーザの許可の下で働く１人または複数の個人によって選択される、及びむしろ
前記許可は、前記ユーザによって指定される１つまたは複数の判断基準に従って制限される、請求項１に記載の方法。
【請求項３】
前記ユーザからの要求に応答して、補足コンテンツの前記少なくとも１つのアイテムを前記注釈付きメディア・ストリームから除去すること
をさらに含む、請求項１または２に記載の方法。
【請求項４】
補足コンテンツの前記少なくとも１つのアイテムは、少なくとも部分的に、自動化されたプロセスによって選択される、及び
前記自動化されたプロセスはむしろ、視聴者に関する補足コンテンツの前記少なくとも１つのアイテムの人気のレベル、補足コンテンツの前記少なくとも１つのアイテムに対する視聴者の反応、視聴者に関する前記メディア・ストリームの人気のレベル、視聴者が前記メディア・ストリームを見る時間の平均長、前記メディア・ストリームに対する視聴者の反応、またはランダム選択のうちの少なくとも１つに従って補足コンテンツの前記少なくとも１つのアイテムを選択する、請求項１に記載の方法。
【請求項５】
補足コンテンツの前記少なくとも１つは、物品、人、または概念に関連し、補足コンテンツの前記少なくとも１つは、テキスト、オーディオ、ビデオ、マルチメディア・プレゼンテーション、写真、イメージ、ｕｎｉｆｏｒｍ  ｒｅｓｏｕｒｃｅ  ｌｏｃａｔｏｒ、コンピュータ・アプリケーション、データ、コメント、広告コピー、キーワード、タグ、注釈付きメディア・ストリームの視聴者による対話型参加を奨励する要素、変数データ、生データ、様式化された情報、またはプレースホルダのうちの少なくとも１つを含み、
むしろ前記物品、人、または概念は、前記メディア・ストリーム内に描かれるか、前記メディア・ストリームによって暗示され、かつ／または
前記プレースホルダは、前記注釈付きメディア・ストリームの前記一部を類似する補足コンテンツの複数のアイテムに関連付け、及び
補足コンテンツの前記複数のアイテムは、階層に従って優先順位をよりむしろ付けられる、請求項１乃至４のいずれかに記載の方法。
【請求項６】
補足コンテンツの前記少なくとも１つのアイテムは、前記ユーザによって作成され、むしろ補足コンテンツの前記少なくとも１つのアイテムの作成を容易にするために前記ユーザにツールを提供することを含む請求項１乃至５のいずれかに記載の方法。
【請求項７】
補足コンテンツの前記少なくとも１つのアイテムは、複数のエントリを含むライブラリから前記ユーザによって選択され、前記複数のエントリのそれぞれは、物品、人、または概念を表し、前記複数のエントリのそれぞれは、前記物品、人、または概念に関連する補足コンテンツの少なくとも１つのアイテムを含み、
前記複数のエントリは、階層構造、キーワード、最も最近の追加、最も人気のあるエントリ、エントリに関連する販売者が前記エントリが見られることについて支払うつもりがある手数料、エントリに関連する販売者が前記エントリを見る視聴者からのさらなる情報の要求について支払うつもりがある手数料、エントリに関連する販売者が前記エントリの使用を介して問い合わされる販売について支払うつもりがある手数料、または前記メディア・ストリームによって提案される構造のうちの少なくとも１つに従ってむしろ編成される、請求項１乃至６のいずれか１つに記載の方法。
【請求項８】
前記複数のエントリのうちの少なくとも１つのエントリは、
（a）広告主が、前記エントリに含まれる補足コンテンツのアイテムをメディア・ストリームの少なくとも一部にマッピングさせるために支払うつもりがある価格
（b）前記エントリに含まれる補足コンテンツのアイテムが視聴者に関して達成した人気のレベルの表示
（c）前記エントリに含まれる補足コンテンツのアイテムをマッピングできるメディア・ストリームのタイプを示す助言、及び
（d）前記エントリに含まれる補足コンテンツのアイテムのターゲット聴衆に関する人口統計情報をを１つまたは複数含む請求項７に記載の方法。
【請求項９】
前記ライブラリの少なくとも一部は、第三者ソースによって作成され、むしろ前記第三者ソースにライブ・リンクされ、及びよりむしろ前記第三者ソースは、前記ライブラリの前記少なくとも一部へのアクセスを制御する、請求項７または８に記載の方法。
【請求項１０】
前記複数のエントリは、オントロジに従って編成される、請求項７乃至９に記載の方法。
【請求項１１】
（a）前記ライブラリの少なくとも一部の中の補足コンテンツの複数のアイテムのそれぞれは、共通のフォーマットに従うこと、
（b）前記ライブラリは、第３者ワールド・ワイド・ウェブ・サイトを介して少なくとも部分的にアクセス可能であること、及び
（c）前記ライブラリは、リモートでホスティングされることの、
１つまたは複数をさらに含む請求項７乃至１０いずれか１つに記載の方法。
【請求項１２】
（a）前記メディア・ストリームの前記少なくとも一部は、むしろ前記メディア・ストリームの他の時間セグメントを識別するセグメント識別子に対して相対的に一意であるセグメント識別子によって識別される前記メディア・ストリームの時間セグメントであること、
（b）補足コンテンツの前記少なくとも１つのアイテムは、埋め込まれた記述特性を含むこと、
（c）前記メディア・ストリームの前記少なくとも一部へのマッピングのために補足コンテンツのアイテムを投稿する権利に関する第三者からの入札を受け取ることと、
前記受け取られた入札に従って前記第三者のうちの１つまたは複数に前記権利を与えることと、
（d）前記注釈付きメディア・ストリームは、ビデオ・コンポーネント、オーディオ・コンポーネント、またはテキスト・コンポーネントのうちの少なくとも１つを含むこと、
（e）前記方法は、コンピューティング・デバイス上のローカル・アプリケーションに従ってまたは、ワールド・ワイド・ウェブベースのアプリケーションに従って実行すること、及び、
（f）補足コンテンツの前記少なくとも１つのアイテムのプロバイダからの要求に応答して前記注釈付きメディア・ストリームから補足コンテンツの前記少なくとも１つのアイテムを除去すること
を１つまたは複数さらに含む請求項１乃至１１のいずれかに記載の方法。
【請求項１３】
ユーザによる注釈付きメディア・ストリームの作成を容易にする実行可能プログラムを含むコンピュータ可読媒体であって、前記プログラムは、
メディア・ストリームを前記ユーザから受け取るステップと、
前記注釈付きメディア・ストリームを作るために補足コンテンツの少なくとも１つのアイテムを前記メディア・ストリームの少なくとも一部にマッピングするステップと、
前記注釈付きメディア・ストリームを格納するステップと
を実行するコンピュータ可読媒体。
【請求項１４】
ユーザによる注釈付きメディア・ストリームの作成を容易にするシステムであって、
メディア・ストリームを前記ユーザから受け取る手段と、
前記注釈付きメディア・ストリームを作るために補足コンテンツの少なくとも１つのアイテムを前記メディア・ストリームの少なくとも一部にマッピングする手段と、
前記注釈付きメディア・ストリームを格納する手段と
を含むシステム。
【請求項１５】
ユーザによって提供される注釈付きメディア・ストリームを配信する方法であって、
前記ユーザから前記注釈付きメディア・ストリームを受け取ることであって、前記注釈付きメディア・ストリームは、前記注釈付きメディア・ストリームを作るためにメディア・ストリームの少なくとも一部にマッピングされる補足コンテンツの少なくとも１つのアイテムを含む、受け取ることと、
前記注釈付きメディア・ストリームを格納することと、
前記注釈付きメディア・ストリームを見る要求を視聴者から受け取ることと、
前記注釈付きメディア・ストリームを前記視聴者に配信することと
を含む方法。
【請求項１６】
ユーザによって提供される注釈付きメディア・ストリームを配信する方法であって、
前記注釈付きメディア・ストリームを視聴者に配信することであって、前記注釈付きメディア・ストリームは、前記注釈付きメディア・ストリームを作るためにメディア・ストリームの少なくとも一部にマッピングされる補足コンテンツの少なくとも１つのアイテムを含む、配信することと、
前記注釈付きメディア・ストリームが前記視聴者によって見られるときに手数料を徴集することと
を含む方法。